(57)【特許請求の範囲】
【請求項１】
電池の長手方向が一致するように並列的に配置された複数個の電池から成る電池群と、
前記電池群の外周面を一体的に被覆して電池シュリンク包装体を形成するシュリンクフィルムと、
前記電池シュリンク包装体によって構成される略平面であって最も大きな面積を有する該平面の一面に一端側が接合一体化し、他端側がシュリンク包装体面に沿って他の部材に接触することなく自由端となるよう延設され、かつ延設された領域面が商品訴求表示ラベル部を成している商品訴求表示ラベルと、
を有する商品訴求表示ラベル付き電池パックであって、
前記電池シュリンク包装体面に対する商品訴求表示ラベルの接合端部が最外側電池の端子面中心から垂直に下げた線を基準にして商品訴求表示ラベル部側に向かって３０〜９０°の範囲であることを特徴とする商品訴求表示ラベル付き電池パック。
【発明の詳細な説明】
【０００１】
【発明の属する技術分野】
本発明は、商品訴求表示ラベル付き電池パックに関する。
【０００２】
【従来の技術】
周知のように、一次電池及び二次電池の各種電池が、携帯型電子機器類の電源として使用されている。そして、この種の電池類は、使用機器、電圧、容量、取扱方法、廃棄処分の手段などが異なるため、電池の品種や商品名、取扱などを表示するラベルを電池の外周面に貼着している。
【０００３】
すなわち、アルカリ乾電池、マンガン乾電池、ニッケルカドミウム二次電池、ニッケル水素二次電池などは、共用性を考慮して、たとえば単３形や単４形などサイズを共通化している。しかし、携帯型電子機器類の高性能化、多機能化などに伴って、電源電池の用途も制約されるなどし、電池の使い分け・選択に関心が及んでいる。たとえばＰＤＡなどの駆動電源として、アルカリ乾電池は適するが、同じサイズのマンガン乾電池は適さない。あるいはデジタルカメラの駆動電源として、ニッケル水素二次電池は適するが、同じサイズのアルカリ乾電池は電池寿命が極端に短く適さない。
【０００４】
上記問題に対して、携帯型電子機器類の取扱説明書などで、説明ないし指摘・推奨などなされているが、実効性に問題がある。このようなトラブル発生防止・解消の実効性を挙げるため、電池を製造・販売する側での対策もいろいろ採られている。たとえばブリスターパックなどを使用する電池パッケージにおいては、パッケージングされた電池の特徴、使い方、取扱注意などとともに、使用に適する電子機器を表示して、消費者に適正な情報を提供している。
【０００５】
図４（ａ），（ｂ）は、互いに異なる商品訴求表示ラベル付き電池パックの要部構成をそれぞれ示す透視的斜視図である。図４（ａ），（ｂ）において、１は両端面が互いに異なる極性の電極端子を成し、かつ方向性ないし向きを揃えて並列的に配置された複数個の電池１ａから成る電池群、２は前記電池群１の外周面を一体的に被覆するシュリンクパック（熱収縮性フィルム）で、電池シュリンク包装体３を構成している。４は前記シュリンク包装体３の一主面に接合（張り合わせ）一体化した商品訴求表示ラベルである。
【０００６】
ここで、電池１ａは、たとえば単３形の円筒状アルカリ乾電池で、その外周面には、メーカー名、商品名、取扱注意などが印刷・表示されたラベル（図示省略）が貼着されている。また、シュリンクパック２は、たとえば透明性のポリ塩化ビニル樹脂など熱収縮性樹脂を素材としたものであり、電池群１は、各電池１ａの方向・向きを揃えた配置構成を採り、その状態で外周面を被覆して一体化し、電池シュリンク包装体３を形成している。
【０００７】
さらに、商品訴求表示ラベル４は、バーコードなどの識別表示のみを目的として小形に設定した場合（図４（ａ））と、商品訴求表示を重視して大形に設定した場合（図４（ｂ））とがある（たとえば特開平１０−１９４２４４号公報，特開平８−１４８１３４号公報など）。なお、上記電池シュリンク包装体３は、シュリンク包装前に、もしくはシュリンク包装後に商品訴求表示ラベル４を貼着している。
【０００８】
【発明が解決しようとする課題】
ところで、この種の商品訴求表示ラベル付き電池パックにおいては、各電池１ａの品種や商品名の表示ラベルだけでなく、商品訴求表示ラベル付き電池シュリンク包装体３自体の美観・見栄え・差別化なども重要な要素と成っている。特に、電池１ａ自体のラベル表示、電池パックとしての美観・見栄え・差別化の相関性は、電池の流通において重視される。
【０００９】
しかしながら、前記、従来の商品訴求表示ラベル付き電池パックは、実用上、次のような不都合が認められる。すなわち、この商品訴求表示ラベル付き電池パックは、所謂棚置き型に展示されるため、必然的に、商品訴求表示ラベル貼着面を上向きにして棚に載置される。このとき、少なくとも商品訴求表示ラベル貼着領域では、電池シュリンク包装体中の個々の電池１ａ外周面に付設されたラベル表示の機能が阻害されることになり、電池シュリンク包装体内の電池１ａのメーカーや品種などの視認が困難となる。
【００１０】
したがって、シュリンク包装する段階で、商品訴求表示ラベル貼着領域を考慮に入れて、ラベル付き電池１ａ個々の向き・方向を調整する必要がある。そして、このようなラベル付き電池１ａ個々の向き・方向の調整は、シュリンク包装作業の煩雑化となるだけでなく、商品訴求表示ラベル付き電池パックとしの外観性とのバランスなど問題を複雑化し、強いては、商品展示効果を損なう恐れもある。つまり、商品訴求表示を重視するか、電池シュリンク包装体２中の電池１ａの視覚的表示を重視するか、２者択一を迫られることになる。
【００１１】
上記問題に対して、シュリンク包装に先だって、並列的にラベル付き電池１ａを配置した電池群１に、クランク状に折り曲げた商品訴求表示ラベルを挟み込むことも提案されている（特開平６−１１０３８９号公報）。すなわち、基材シートを左右領域に分け、右側領域は一方の面に図柄など印刷し、左側領域は他方の面に図柄など印刷した商品訴求表示ラベル構成とする。そして、右側の図柄が一方の面側に現れる一方、その面の左側にラベル付き電池１ａが現れる。つまり、電池パックの両面において、対称的に、商品訴求表示ラベル及び電池１ａ自体のラベルが現れるようにしたものである。
【００１２】
この両面型商品訴求表示ラベル付き電池パックは、商品訴求表示及び電池シュリンク包装体３の電池１ａの視覚的表示が同時に行われという利点がある。しかし、商品訴求表示ラベルは、基材シートを左右領域に分け、かつ一方の面もしくは他方の面に、向き・方向を揃えて図柄など印刷した構成を採るため、その製作作業が煩雑化などし、コストアップを招来する。また、商品訴求表示ラベルにおける図柄などの印刷領域も制約されるため、需用者に充分理解できるような表示を行うことも困難である。
【００１３】
本発明は、上記事情に対処してなされたもので、充分な外装美観・表示が図られる簡易型の商品訴求表示ラベル付き電池パックの提供を目的とする。
【００１４】
【課題を解決するための手段】
本発明は、電池の長手方向が一致するように並列的に配置された複数個の電池から成る電池群と、前記電池群の外周面を一体的に被覆して電池シュリンク包装体を形成するシュリンクフィルムと、前記電シュリンク包装体によって構成される略平面であって最も大きな面積を有する該平面の一面に一端側が接合一体化し、他端側がシュリンク包装体面に沿って他の部材に接触することなく自由端となるよう延設され、かつ延設された領域面が商品訴求表示ラベル部を成している商品訴求表示ラベルとを有する商品訴求表示ラベル付き電池パックであって、電池シュリンク包装体面に対する商品訴求表示ラベルの接合端部が最外側電池の端子面中心から垂直に下げた線を基準にして商品訴求表示ラベル部側に向かって３０〜９０°の範囲であることを特徴とする。
【００１６】
本発明は、簡易型の商品訴求表示ラベル付きの電池パックにおいて、パック化された電池（商品）自体の効果的な視認・判別と、効果的ないし適正な商品訴求表示との整合性を鋭意検討した結果に基づいてなされたものである。すなわち、商品訴求表示ラベルの貼着・付設に当たり、電池シュリンク包装体の一主面に一端側を接合一体化する一方、電池シュリンク包装体面に沿って他端側を自由端型に延設させ、この延設させた領域面を商品訴求表示ラベル部として機能させる構成を採ることを骨子とする。
【００１７】
そして、この構成を採った場合、パック化された電池（商品）自体の効果的な視認・判別、及び効果的ないし適正な商品訴求表示が容易に確保できることを見出して、上記発明に至ったものである。なお、この構成において、電池シュリンク包装体面に対する商品訴求表示ラベルの接合端部を、最外側電池の端子面中心から垂直に下げた線を基準にして商品訴求表示ラベル部側に向かって３０〜９０°、より好ましくは４５〜７０°の範囲に設定すると、棚置きしたときに、より確実に商品訴求表示ラベル部が見やすい向きが確保される。
【００１８】
本発明において、電池群をシュリンク包装するシュリンクフィルムは、たとえばポリエチレンテレフタレート、ポリエチレンフィルム、放射線ポリエチレンフィルム、ポリ塩化ビニルフィルム、ポリエステルフィルム、エチレン−酢酸ビニル共重合体フィルムなど、一軸方向もしくは二軸方向に延伸処理した透明性の熱収縮性で形成される。つまり、一般的に、透明性のシュリンク包装に使用されているフィルム状のシュリンク包装材なら、特に、限定されない。
【００１９】
また、商品訴求表示ラベルは、たとえばコート紙やアート紙などの紙類、ポリ塩化ビニル樹脂やポリプロピレン樹脂などのプラスチック類を素材としたものである。ここで、商品訴求表示ラベルの厚さは、保形性などの点から、５０〜１５０μｍ、好ましくは９０〜１００μｍ程度である。なお、商品訴求表示ラベルは、シュリンク包装体の一主面に張り合わせ・接合一体化する部分の大きさを、シュリンク包装体の一主面より小さく設定してもよい。つまり、所要の接合一体化を形成できるならば特に限定されない。一般的には、シュリンク包装した電池の大きさや数などを考慮して決める。
【００２０】
さらに、電池シュリンク包装体に対する商品訴求表示ラベルの接合一体化は、生産性などを考慮し、主に感圧性接着剤が用いられ。ここで、感圧性接着剤としては、たとえばゴム系、アクリル系、スチレンブタジエン系共重合体、スチレンイソプレン系共重合体などが挙げられる。
【００２１】
【発明の実施態様】
以下、図１（ａ），（ｂ）、図２及び図３を参照して実施例を説明する。
【００２２】
先ず、図１（ａ）に概略構成委を斜視的に示す商品訴求表示ラベル５、及び電池シュリンク包装体３を用意する。ここで、商品訴求表示ラベル５は、厚さ９０μｍ程度のポリエチレンテレフタレートフィルム製で、接着剤層６を介して電池シュリンク包装体３に接合一体化する領域５ａと、商品訴求表示が印刷された商品訴求表示ラベルラベル部５ｂとに分けられている。
【００２３】
一方、電池シュリンク包装体３は、たとえばＪＩＳ規格ＬＲ６形（単３形）のアルカリ電池１ａ複数本を、厚さが２５μｍ程度である透明性のポリ塩化ビニル樹脂系シュリンクフィルム２で、シュリンク包装したものである。つまり、前記電池１ａを向き・方向を揃えて並列的に配置した電極群１とする一方、その並列電極群１の外周面に、両端面から突出させシュリンクフィルム２を被覆し、このシュリンクフィルムで被覆した後、１５０〜２００℃程度の高温温風を両主面方向に数秒間吹き付けて、電池群１をシュリンク包装したものである。
【００２４】
次いで、上記商品訴求表示ラベル５の電池シュリンク包装体３に接合一体化する領域５ａに、たとえばアクリル系接着剤６を塗布し、この接着剤塗布層６面に、前記電池シュリンク包装体３を位置決め配置し、電池シュリンク包装体３に対して商品訴求表示ラベル５の接合一体化する領域５ａを接合（張り合わせ）することにより、所要の簡易型・商品訴求表示ラベル付き電池パックが構成される。
【００２５】
なお、上記電池シュリンク包装体３に対し、商品訴求表示ラベル５を接合（張り合わせ）一体化するに当たり、図２に側面的に示すように、商品訴求表示ラベル５の接合端部（境目）５ｃが、電池シュリンク包装体３の最外側電池１ａ′の端子面中心から垂直に下げた線Ａを基準にして商品訴求表示ラベル部５ｂ側に向かって（矢印方向）３０〜９０°、好ましくは４５〜７０°の範囲に選択・設定するとよい。すなわち、上記のように設定すると、棚置き型に展示したときに、商品訴求表示ラベル部の立ち上がり向き・角度が見やすい状態をより確実に採り易いからである。
【００２６】
図３は、上記商品訴求表示ラベル付き電池パックを棚置き型に、展示した状態を示す側面図である。この展示形態から分かるように、いずれの場合も商品訴求表示ラベル部５ｂが立ち上がり傾斜面をなしており、正面側からの視認角度も適正的で、商品訴求表示が見やすく、また、電池シュリンク包装体３における電池群１も全体的に視認できる。
【００２７】
この並列的な展示に対して、展示の自由度などを挙げるため、たとえば商品訴求表示ラベル部５ｂを重ねる形態に、商品訴求表示ラベル付き電池パックをズラシ形に積層して棚置き型展示した場合（省スペース化）でも、正面側からの視認角度も適正的で、商品訴求表示が見やすく、また、電池シュリンク包装体３における電池群１も全体的に視認できる。つまり、棚置き型展示において、通常、採られる展示形態では、パック化された電池（商品）１ａ自体の効果的な視認・判別と、効果的ないし適正な商品訴求表示との整合した機能を呈する。
【００２８】
本発明は、上記実施例に限定されるものでなく、発明の主旨を逸脱しない範囲でいろいろの変形を採ることができる。たとえば電池の種類、並列化する数、シュリンクパッケージフィルムの材質、商品訴求表示ラベルの材質、形状・寸法など適宜選択しても支障ない。
【００２９】
【発明の効果】
本発明によれば、生産性や材料費などの点を含めて低コスト化が可能な簡易型電池パックにおいて、棚置き型展示において、電池（商品）自体の効果的な視認・判別、及び商品訴求表示の効果的ないし適正な伝達を行えるので、消費者（需用者）の適切な商品選択に大きく寄与する。
【図面の簡単な説明】
【図１】（ａ）は実施例に係る商品訴求表示ラベル付き電池パックに付設された商品訴求表示ラベルの概略構成を示す斜視図、（ｂ）は実施例に係る商品訴求表示ラベル付き電池パックの概略構成を示す斜視図。
【図２】実施例に係る商品訴求表示ラベル付き電池パックの概略構成を示す側面図。
【図３】実施例に係る商品訴求表示ラベル付き電池パックの棚置き型展示例を示す側面図。
【図４】（ａ），（ｂ）は従来の商品訴求表示ラベル付き電池パックの異なる構成例を示す斜視図。
【符号の説明】
１……電池群
１ａ……電池
２……シュリンクパック
３……電池シュリンク包装体
４，５……商品訴求表示ラベル
５ａ……張り合わせ領域
５ｂ……商品訴求表示ラベル部
５ｃ……接合一体化の境目
６……接着剤層
【図１】
0003919501.tif 000002
【図２】
0003919501.tif 000003
【図３】
0003919501.tif 000004
【図４】
0003919501.tif 000005